【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
一方向に走行する旧ウエブ（Ｗ１）の切断端と、巻出装置から前記一方向に引き出された新ウエブ（Ｗ２）の先端とを接続するウエブ継ぎ装置であって、
上記旧ウエブ（Ｗ１）の走行経路の上下側にその旧ウエブ（Ｗ１）を介して対向する上下の貼り付けロール（１、２）が設けられているとともに、その上側貼り付けロール（１）の前記走行経路の前段に前記旧ウエブ（Ｗ１）の切断刃（６）が設けられており、
上記新ウエブ（Ｗ２）の先端が上記下側貼り付けロール（２）に吸着されるとともに両ロール（１、２）の少なくとも一方に接合テープ（Ｔ１、Ｔ２）が吸着されており、
上記切断刃（６）は、上下の貼り付けロール（１、２）が旧ウエブ（Ｗ１）を介在して接圧しているとともに新ウエブ（Ｗ２）の先端がその接圧点（ａ）に至っていない状態で、旧ウエブ（Ｗ１）を前記接圧点（ａ）の前段で切断するものであり、両ロール（１、２）は、両ウエブ（Ｗ１、Ｗ２）の前記走行方向に回転して前記接合テープ（Ｔ１、Ｔ２）を旧ウエブ（Ｗ１）の切断端及び新ウエブ（Ｗ２）の先端に接着して、旧ウエブ（Ｗ１）の切断端と新ウエブ（Ｗ２）の先端とを継ぎ合わせるものであることを特徴とするウエブ継ぎ装置。
【請求項２】
請求項１に記載のウエブ継ぎ装置において、上記下側の貼り付けロール（２）に接合テープ（Ｔ３）が吸着されるものであって、その接合テープ（Ｔ３）が表裏両面が粘着層である両面テープであり、上記上下の貼り付けロール（１、２）は、上記旧ウエブ（Ｗ１）の切断後、上記両ウエブ（Ｗ１、Ｗ２）の前記走行方向に回転して前記接合テープ（Ｔ３）を旧ウエブ（Ｗ１）の切断端及び新ウエブ（Ｗ２）の先端の間に介在してその両端に接着させて、旧ウエブ（Ｗ１）の切断端と新ウエブ（Ｗ２）の先端とを重ねて継ぎ合わせるものであることを特徴とするウエブ継ぎ装置。
【請求項３】
請求項１に記載のウエブ継ぎ装置において、上記上側貼り付けロール（１）に接合テープ（Ｔ１）が吸着されるものであって、その上側貼り付けロール（１）に回転停止位置調整用ウエイト（３０）が取付けられており、そのウエイト（３０）は、上記上下の貼り付けロール（１、２）の接圧時、上記吸着された接合テープ（Ｔ１）を上記接圧点（ａ）から上側貼り付けロール（１）の周方向に離れた点に位置させ、上記上下の貼り付けロール（１、２）が両ウエブ（Ｗ１、Ｗ２）の上記走行方向に回転して前記接合テープ（Ｔ１）を旧ウエブ（Ｗ１）の切断端及び新ウエブ（Ｗ２）の先端に接着させるものであることを特徴とするウエブ継ぎ装置。
【請求項４】
請求項１乃至３の何れか１つに記載のウエブ継ぎ装置において、上記下側貼り付けロール（２）に接合テープ（Ｔ２、Ｔ３）が吸着されるものであって、
上記下側貼り付けロール（２）の上記新ウエブ走行方向前方に、その下側貼り付けロール（２）に接圧・退避可能な転移ロール（１６）が設けられており、この転移ロール（１６）は、下側貼り付けロール（２）とその転移ロール（１６）の間を通った上記新ウエブ（Ｗ２）の先端が吸着されて、その新ウエブ（Ｗ２）の先端に接合テープ（Ｔ２、Ｔ３）の貼着がさらに行われ、前記下側貼り付けロール（２）に新ウエブ（Ｗ２）を介在して接圧した状態で、その下側貼り付けロール（２）の回転に伴い回転して前記接合テープ（Ｔ２、Ｔ３）付新ウエブ（Ｗ２）の先端を下側貼り付けロール（２）に転移吸着するものであることを特徴とするウエブ継ぎ装置。
【請求項５】
上記上下の貼り付けロール（１、２）の少なくとも一方の接圧面が弾性材で形成されていることを特徴とする請求項１乃至４の何れか１つに記載のウエブ継ぎ装置。
【請求項６】
上記下側貼り付けロール（２）の前段に吸着具（１３）が設けられ、その吸着具（１３）は、上記新ウエブ（Ｗ２）の先端を下側貼り付けロール（２）に吸着する際、上記新ウエブ（Ｗ２）の先端近くを吸引保持するものであることを特徴とする請求項１乃至５の何れか１つに記載のウエブ継ぎ装置。
【請求項７】
一方向に走行する旧ウエブ（Ｗ１）の切断端と、巻出装置から前記一方向に引き出された新ウエブ（Ｗ２）の先端とを接続するウエブ継ぎ方法であって、
上記旧ウエブ（Ｗ１）の走行経路の上下側にその旧ウエブ（Ｗ１）を介して対向する上下の貼り付けロール（１、２）が設けられており、
上記新ウエブ（Ｗ２）の先端を上記下側貼り付けロール（２）に吸着するとともに両ロール（１、２）の少なくとも一方に接合テープ（Ｔ１、Ｔ２）を吸着し、その上下の貼り付けロール（１、２）を接近させて旧ウエブ（Ｗ１）を介在して接圧し、新ウエブ（Ｗ２）の先端がその接圧点（ａ）に至っていないその接圧状態で、切断刃（６）によって前記接圧点（ａ）の走行経路前段の旧ウエブ（Ｗ１）を切断し、その後、両ロール（１、２）を回転させて新旧両ウエブ（Ｗ１、Ｗ２）を前記走行方向に走行させるとともに前記接合テープ（Ｔ１、Ｔ２）を旧ウエブ（Ｗ１）の切断端及び新ウエブ（Ｗ２）の先端に接着して、旧ウエブ（Ｗ１）の切断端と新ウエブ（Ｗ２）の先端とを接続することを特徴とするウエブ継ぎ方法。
【請求項８】
請求項７に記載のウエブ継ぎ方法において、上記接合テープを表裏両面が粘着層である両面テープとしてその接合テープ（Ｔ３）を上記下側の貼り付けロール（２）に吸着し、上記旧ウエブ（Ｗ１）の切断後、両ロール（１、２）を両ウエブ（Ｗ１、Ｗ２）の前記走行方向に回転させて前記接合テープ（Ｔ３）を旧ウエブ（Ｗ１）の切断端及び新ウエブ（Ｗ２）の先端の間に介在してその両端に接着して、旧ウエブ（Ｗ１）の切断端と新ウエブ（Ｗ２）の先端とを重ねて継ぎ合わせることを特徴とするウエブ継ぎ方法。
【請求項９】
請求項７に記載のウエブ継ぎ方法において、上記上側貼り付けロール（１）に接合テープ（Ｔ１）が吸着されるものであって、その上側貼り付けロール（１）に取付けた回転停止位置調整用ウエイト（３０）によって、上記上下の貼り付けロール（１、２）の接圧時、前記吸着された接合テープ（Ｔ１）が、上記両ロール（１、２）を両ウエブ（Ｗ１、Ｗ２）の前記走行方向に回転させて前記接合テープ（Ｔ１）を旧ウエブ（Ｗ１）の切断端及び新ウエブ（Ｗ２）の先端に接着するように、上記接圧点（ａ）から上側貼り付けロール（１）の周方向に離れた点に位置するようにしたことを特徴とするウエブ継ぎ方法。
【請求項１０】
請求項７乃至９の何れか１つに記載のウエブ継ぎ方法において、上記下側貼り付けロール（２）の上記新ウエブ走行方向前方に設けられてその下側貼り付けロール（２）に接圧・退避可能な転移ロール（１６）と前記下側貼り付けロール（２）との間に、前記新ウエブ（Ｗ２）を通し、その通した新ウエブ（Ｗ２）を介在して前記転移ロール（１６）を下側貼り付けロール（２）に接圧するとともに前記新ウエブ（Ｗ２）の先端を前記転移ロール（１６）に吸着し、その状態で、転移ロール（１６）上で、前記新ウエブ（Ｗ２）の先端に接合テープ（Ｔ２、Ｔ３）の貼着を行い、その後、前記下側貼り付けロール（２）の回転に伴って前記転移ロール（１６）を回転させて前記接合テープ（Ｔ２、Ｔ３）付新ウエブ（Ｗ２）の先端を下側貼り付けロール（２）に転移吸着することを特徴とするウエブ継ぎ方法。
【請求項１１】
上記上下の貼り付けロール（１、２）の少なくとも一方の接圧面を弾性材で形成し、上記上下の貼り付けロール（１、２）の接圧時、その弾性材からなるロールに他方のロールが食い込むことを特徴とする請求項７乃至１０の何れか１つに記載のウエブ継ぎ方法。
【請求項１２】
上記新ウエブ（Ｗ２）の先端を下側貼り付けロール（２）に吸着する際、その新ウエブ（Ｗ２）の先端近くを、前記下側貼り付けロール（２）の前段に設けた吸着具（１３）で吸引保持することを特徴とする請求項７乃至１１の何れか１つに記載のウエブ継ぎ方法。
【手続補正２】
【補正対象書類名】明細書
【補正対象項目名】００１１
【補正方法】変更
【補正の内容】
【００１１】
この発明に係るウエブ継ぎ装置の具体的な構成としては、一方向に走行する旧ウエブの切断端と、巻出装置から前記一方向に引き出された新ウエブの先端とを接続するウエブ継ぎ装置において、旧ウエブの走行経路の上下側にその旧ウエブを介して対向する上下の貼り付けロールを設けるとともに、その上側貼り付けロールの前記走行経路の前段に旧ウエブの切断刃を設け、新ウエブの先端が下側貼り付けロールに吸着されるとともに両ロールの少なくとも一方に接合テープが吸着され、上下の貼り付けロールを旧ウエブを介在して接圧するとともに新ウエブの先端がその接圧点に至っていない状態で、前記切断刃によって旧ウエブを前記接圧点の前段で切断し、両ロールを両ウエブの前記走行方向に回転させて接合テープを旧ウエブの切断端及び新ウエブの先端に接着して、旧ウエブの切断端と新ウエブの先端とを継ぎ合わせる構成を採用することができる。
【手続補正３】
【補正対象書類名】明細書
【補正対象項目名】００１４
【補正方法】変更
【補正の内容】
【００１４】
さらに、上記各構成において、下側貼り付けロールに接合テープが吸着されるものであれば、下側貼り付けロールの新ウエブ走行方向前方に、その下側貼り付けロールに接圧・退避可能な転移ロールを設け、この転移ロール上で、下側貼り付けロールとその転移ロールの間を通った新ウエブの先端が吸着され、その新ウエブの先端に接合テープの貼着をさらに行い、その転移ロールを下側貼り付けロールに接圧した状態で、その下側貼り付けロールの回転に伴って転移ロールを回転させて接合テープ付新ウエブの先端を下側貼り付けロールに転移吸着する構成を採用することができる。
通常、下側貼り付けロールへの接合テープの吸着は、その接合テープの粘着層を表にして行う必要があり、この態様を下側貼り付けロール上で行うには、まず、接合テープをロールに吸着し、その後、新ウエブの先端をその接合テープに接着（固定）することとなる。しかし、転移ロールを使用すれば、その転移ロールに新ウエブを吸着させた後、接合テープをその新ウエブの端に接着すれば良いため、その作業性が良いものとなる。
なお、転移ロール上で、新ウエブの先端の切り揃えを行えば、その先端の切断によって転移ロール（下側貼り付けロール）への新ウエブの巻回長さ（吸着長さ）を所要のものとすることができる。
【手続補正４】
【補正対象書類名】明細書
【補正対象項目名】００１６
【補正方法】変更
【補正の内容】
【００１６】
この発明に係るウエブ継ぎ方法の具体的な構成としては、一方向に走行する旧ウエブの切断端と、巻出装置から前記一方向に引き出された新ウエブの先端とを接続するウエブ継ぎ方法において、
旧ウエブの走行経路の上下側にその旧ウエブを介して対向する上下の貼り付けロールが設けられており、
上記新ウエブの先端を上記下側貼り付けロールに吸着するとともに両ロールの少なくとも一方に接合テープを吸着し、その上下の貼り付けロールを接近させて旧ウエブを介在して接圧し、新ウエブの先端がその接圧点に至っていないその接圧状態で、切断刃によって前記両ロールが接圧した接圧点の走行経路前段の旧ウエブを切断し、その後、両ロールを回転させて新旧両ウエブを前記走行方向に走行させるとともに前記接合テープを旧ウエブの切断端及び新ウエブの先端に接着して、旧ウエブの切断端と新ウエブの先端とを接続する構成を採用することができる。
【手続補正５】
【補正対象書類名】図面
【補正対象項目名】図１Ｇ
【補正方法】変更
【補正の内容】
【図１Ｇ】
2015137175.tif 000001